(57)【要約】【課題】光信号配信局と切り離され放置状態となっている光ファイバ心線の下流側の部分を再利用することができる光ファイバ心線割当方法を提供する。【解決手段】光信号配信局から敷設された光ケーブル内の光ファイバ心線１１を切断して、切断した光ファイバ心線１１の光信号配信局側の部分を引込み用光ファイバ心線２１に接続したのちに放置状態とされる切断した光ファイバ心線１１の光ケーブル末端側の部分１１1を再利用するために、放置状態とされた光ファイバ心線１１の光ケーブル末端側の部分１１1の光信号配信局側の端と他の引込み用光ファイバ心線２５とを接続するとともに、放置状態とされた光ファイバ心線１１の光ケーブル末端側の部分１１1の他端と光信号配信局から敷設された光ケーブル内の他の光ファイバ心線１５とを光カプラ４０を介して接続する。【選択図】  図１
2005191871.tif 000002
【特許請求の範囲】
【請求項１】
光信号配信局から敷設された光ケーブル内の光ファイバ心線を切断して、該切断した光ファイバ心線の光信号配信局側の部分を引込み用光ファイバ心線に接続したのちに放置状態とされる前記切断した光ファイバ心線の光ケーブル末端側の部分を再利用するための光ファイバ心線割当方法であって、
前記放置状態とされた光ファイバ心線の光ケーブル末端側の部分の一端と他の引込み用光ファイバ心線とを接続し、
前記放置状態とされた光ファイバ心線の光ケーブル末端側の部分の他端と前記光信号配信局から敷設された光ケーブル内の他の光ファイバ心線とを光カプラを介して接続する、
ことを特徴とする、光ファイバ心線割当方法。
【請求項２】
前記放置状態とされた光ファイバ心線の光ケーブル末端側の部分の他端と前記光カプラとをコネクタを介して接続することを特徴とする、請求項１記載の光ファイバ心線割当方法。
【請求項３】
前記光信号配信局から敷設された光ケーブル内の他の光ファイバ心線が、前記光ファイバ心線よりも厚く被覆されていることを特徴とする、請求項１または２記載の光ファイバ心線割当方法。
【請求項４】
前記光信号配信局から敷設された光ケーブル内の他の光ファイバ心線が、前記光ケーブルの中心側に設けられていることを特徴とする、請求項１乃至３いずれかに記載の光ファイバ心線割当方法。
【請求項５】
前記放置状態とされた光ファイバ心線（１１）の光ケーブル末端側の部分（１１1）の光信号配信局側の端と他の引込み用光ファイバ心線（２５）とを接続し、
光カプラ（４０）を光信号配信局向けに設け、
前記放置状態とされた光ファイバ心線（１１）の光ケーブル末端側の部分（１１1）の他端と前記光信号配信局から敷設された光ケーブル内の他の光ファイバ心線（１５）とを前記光カプラ（４０）を介して接続する、
ことを特徴とする、請求項１乃至４いずれかに記載の光ファイバ心線割当方法。
【請求項６】
前記放置状態とされた光ファイバ心線（１１）の光ケーブル末端側の部分（１１1，１１2）を切断し、
該切断した光ファイバ心線（１１）の光ケーブル末端側の部分（１１1，１１2）のうちの光ケーブル末端側の部分（１１2）の光信号配信局側の端と他の引込み用光ファイバ心線（２５）とを接続し、
光カプラ（５０）を光信号配信局向けに設け、
前記切断した光ファイバ心線（１１）の光ケーブル末端側の部分（１１1，１１2）のうちの前記光ケーブル末端側の部分（１１2）の他端と前記光信号配信局から敷設された光ケーブル内の他の光ファイバ心線（１５）とを前記光カプラ（５０）を介して接続する、
ことを特徴とする、請求項１乃至４いずれかに記載の光ファイバ心線割当方法。
【請求項７】
前記放置状態とされた光ファイバ心線（１１）の光ケーブル末端側の部分（１１1，１１2，１１3）を３本に切断し、
該切断した光ファイバ心線（１１）の光ケーブル末端側の部分（１１1，１１2，１１3）のうちの中間の部分（１１2）の光ケーブル末端側の端と他の引込み用光ファイバ心線（２９）とを接続し、
前記切断した光ファイバ心線（１１）の光ケーブル末端側の部分（１１1，１１2，１１3）のうちの光ケーブル末端側の部分（１１3）の光信号配信局側の端と更に他の引込み用光ファイバ心線（３３）とを接続し、
光カプラ（６２）を光ケーブル末端向けに設け、
他の光カプラ（６３）を光信号配信局向けに設け、
前記切断した光ファイバ心線（１１）の光ケーブル末端側の部分（１１1，１１2，１１3）のうちの前記中間の部分（１１2）の他端と前記光信号配信局から敷設された光ケーブル内の他の光ファイバ心線（１６）とを前記光カプラ（６２）を介して接続し、
前記切断した光ファイバ心線（１１）の光ケーブル末端側の部分（１１1，１１2，１１3）のうちの前記光ケーブル末端側の部分（１１3）の他端と前記光信号配信局から敷設された光ケーブル内の更に他の光ファイバ心線（１７）とを前記他の光カプラ（６３）を介して接続する、
ことを特徴とする、請求項１乃至４いずれかに記載の光ファイバ心線割当方法。
【請求項８】
前記切断した光ファイバ心線（１１）の光ケーブル末端側の部分（１１1，１１2，１１3）のうちの光信号配信局側の部分（１１1）の光信号配信局側の端と更にまた他の引込み用光ファイバ心線（２５）とを接続し、
更にまた他の光カプラ（６１）を光信号配信局向けに設け、
前記切断した光ファイバ心線（１１）の光ケーブル末端側の部分（１１1，１１2，１１3）のうちの前記光信号配信局側の部分（１１1）の他端と前記光信号配信局から敷設された光ケーブル内の更にまた他の光ファイバ心線（１５）とを前記更にまた他の光カプラ（６１）を介して接続する、
ことを特徴とする、請求項７記載の光ファイバ心線割当方法。
【発明の詳細な説明】
【技術分野】
【０００１】
本発明は、光ファイバ心線割当方法に関し、特に、ＦＴＴＨ（Fiber To The Home）などで光ケーブル心線数を超える光ファイバ心線を割り当てるのに好適な光ファイバ心線割当方法に関するものである。
【背景技術】
【０００２】
近年、インターネットの普及拡大に伴い、以下に示す特許文献１にその一例が記載されているように、光ファイバ心線を各加入者（各家庭内）に引き込んで高速で双方向のデジタル通信サービスを行うＦＴＴＨネットワークが実用化されてきている。このようなＦＴＴＨネットワークでは、もよりの光ケーブルに設けたクロージャ（光心線引出点）から各加入者専用に割り当てられた光ファイバ心線を各加入者に引き込んでいる。
【特許文献１】特開平１０−７０５０９号公報
【発明の開示】
【発明が解決しようとする課題】
【０００３】
しかしながら、クロージャ内で光ケーブルから光ファイバ心線を引き出す際には、光ファイバ心線の下流方向（光信号配信局と反対の光ケーブル末端側方向）側を切り離して光ファイバ心線を引き出すため、切り離された光ファイバ心線の下流側の部分（クロージャから光ファイバ心線の最末端までの光ファイバ心線）は、光信号配信局との接続が絶たれて未使用の状態で放置されている。
たとえば、図４に示すように、同じ地区に住む第１乃至第４の加入者Ａ〜Ｄに光ファイバ心線を引き込む場合には、光信号配信局から敷設された光ケーブル内の第１乃至第７の光ファイバ心線１１〜１７のうちの第１乃至第４の光ファイバ心線１１〜１４を切断して、切断した第１乃至第４の光ファイバ心線１１〜１４の光信号配信局側の部分の一端と第１乃至第４の加入者Ａ〜Ｄ用の第１乃至第４の引込み用光ファイバ心線２１〜２４とをそれぞれ接続（たとえば、融着接続）する。このとき、第１乃至第４の光ファイバ心線１１〜１４の切断点から光ケーブル末端側の部分１１1〜１４1は、光信号配信局から切り離されたまま放置されることとなる。
【０００４】
したがって、ＦＴＴＨネットワークへのニーズが高い都市部の団地内を通過する光ケーブルでは、光ケーブルの末端側に近くなるほど各加入者（各家庭）に割り当てできる光ファイバ心線の数が少なくなり、場合によっては割り当てできる光ファイバ心線がなくなってしまうこともある。このようなときには、光ケーブルを追加敷設するしかないが、光ケーブルの追加敷設を行うには資材調達や敷設工事に時間がかかるほか相当なコストがかかる。また、光ファイバ心線の不足状態が多数の地域で発生すると、その対応の遅れにより顧客の信頼度の低下などの問題も生じてくる。
【０００５】
なお、既に光ケーブルが敷設された地区における上述したような光ファイバ心線の不足状態を解消するために、各家庭の近くの電柱に光・電気変換装置を設置して、この光・電気変換装置と各家庭との間を銅線で接続するπシステム方式が提案されている。
しかしながら、このようなπシステム方式は、１本の光ファイバ心線と複数本の銅線とを光・電気変換装置を介して接続することにより光ファイバ心線の不足状態を解消するものであり、上述したような光信号配信局と切り離され放置状態となっている光ファイバ心線の下流側の部分を再利用するものではない。
【０００６】
また、多数の家庭に光ファイバ心線を引き出すために、光ファイバネットワークの途中に分岐装置を挿入して１本の光ファイバ心線を複数本の光ファイバ心線に分岐して各家庭に引き込むパッシブ光ネットワーク（ＰＯＮ）方式も提案されている。
しかしながら、このようなパッシブ光ネットワーク（ＰＯＮ）方式は、新たに光ケーブルを敷設する場合に用いられるものであり、上述したような光信号配信局と切り離され放置状態となっている光ファイバ心線の下流側の部分を再利用するものではない。
【０００７】
本発明の目的は、光信号配信局と切り離され放置状態となっている光ファイバ心線の下流側の部分を再利用することができる光ファイバ心線割当方法を提供することにある。
【課題を解決するための手段】
【０００８】
本発明の光ファイバ心線割当方法は、光信号配信局から敷設された光ケーブル内の光ファイバ心線を切断して、該切断した光ファイバ心線の光信号配信局側の部分を引込み用光ファイバ心線に接続したのちに放置状態とされる前記切断した光ファイバ心線の光ケーブル末端側の部分を再利用するための光ファイバ心線割当方法であって、前記放置状態とされた光ファイバ心線の光ケーブル末端側の部分の一端と他の引込み用光ファイバ心線とを接続し、前記放置状態とされた光ファイバ心線の光ケーブル末端側の部分の他端と前記光信号配信局から敷設された光ケーブル内の他の光ファイバ心線とを光カプラを介して接続することを特徴とする。
ここで、前記放置状態とされた光ファイバ心線の光ケーブル末端側の部分の他端と前記光カプラとをコネクタを介して接続してもよい。
前記光信号配信局から敷設された光ケーブル内の他の光ファイバ心線が、前記光ファイバ心線よりも厚く被覆されてもよい。
前記光信号配信局から敷設された光ケーブル内の他の光ファイバ心線が、前記光ケーブルの中心側に設けられていてもよい。
【０００９】
前記放置状態とされた光ファイバ心線（１１）の光ケーブル末端側の部分（１１1）の光信号配信局側の端と他の引込み用光ファイバ心線（２５）とを接続し、光カプラ（４０）を光信号配信局向けに設け、前記放置状態とされた光ファイバ心線（１１）の光ケーブル末端側の部分（１１1）の他端と前記光信号配信局から敷設された光ケーブル内の他の光ファイバ心線（１５）とを前記光カプラ（４０）を介して接続してもよい。
【００１０】
前記放置状態とされた光ファイバ心線（１１）の光ケーブル末端側の部分（１１1，１１2）を切断し、該切断した光ファイバ心線（１１）の光ケーブル末端側の部分（１１1，１１2）のうちの光ケーブル末端側の部分（１１2）の光信号配信局側の端と他の引込み用光ファイバ心線（２５）とを接続し、光カプラ（５０）を光信号配信局向けに設け、前記切断した光ファイバ心線（１１）の光ケーブル末端側の部分（１１1，１１2）のうちの前記光ケーブル末端側の部分（１１2）の他端と前記光信号配信局から敷設された光ケーブル内の他の光ファイバ心線（１５）とを前記光カプラ（５０）を介して接続してもよい。
【００１１】
前記放置状態とされた光ファイバ心線（１１）の光ケーブル末端側の部分（１１1，１１2，１１3）を３本に切断し、該切断した光ファイバ心線（１１）の光ケーブル末端側の部分（１１1，１１2，１１3）のうちの中間の部分（１１2）の光ケーブル末端側の端と他の引込み用光ファイバ心線（２９）とを接続し、前記切断した光ファイバ心線（１１）の光ケーブル末端側の部分（１１1，１１2，１１3）のうちの光ケーブル末端側の部分（１１3）の光信号配信局側の端と更に他の引込み用光ファイバ心線（３３）とを接続し、光カプラ（６２）を光ケーブル末端向けに設け、他の光カプラ（６３）を光信号配信局向けに設け、前記切断した光ファイバ心線（１１）の光ケーブル末端側の部分（１１1，１１2，１１3）のうちの前記中間の部分（１１2）の他端と前記光信号配信局から敷設された光ケーブル内の他の光ファイバ心線（１６）とを前記光カプラ（６２）を介して接続し、前記切断した光ファイバ心線（１１）の光ケーブル末端側の部分（１１1，１１2，１１3）のうちの前記光ケーブル末端側の部分（１１3）の他端と前記光信号配信局から敷設された光ケーブル内の更に他の光ファイバ心線（１７）とを前記他の光カプラ（６３）を介して接続してもよい。
ここで、前記切断した光ファイバ心線（１１）の光ケーブル末端側の部分（１１1，１１2，１１3）のうちの光信号配信局側の部分（１１1）の光信号配信局側の端と更にまた他の引込み用光ファイバ心線（２５）とを接続し、更にまた他の光カプラ（６１）を光信号配信局向けに設け、前記切断した光ファイバ心線（１１）の光ケーブル末端側の部分（１１1，１１2，１１3）のうちの前記光信号配信局側の部分（１１1）の他端と前記光信号配信局から敷設された光ケーブル内の更にまた他の光ファイバ心線（１５）とを前記更にまた他の光カプラ（６１）を介して接続してもよい。
【発明の効果】
【００１２】
本発明の光ファイバ心線割当方法は、以下に示すような効果を奏する。
（１）光信号配信局と切り離され放置状態となっている光ファイバ心線の下流側の部分を光信号配信局と光カプラを介して再接続することにより、新たに光ケーブルを敷設することなしに光ファイバ心線の不足状態を解消することができる。
（２）従来では未使用状態のまま放置されていた光信号配信局と切り離された光ファイバ心線の下流側の部分を再利用することにより、従来の光ファイバ心線利用率を１００％としたとき１００％を超える光ファイバ心線利用率を達成することができる。
（３）光信号配信局と切り離され放置状態となっている光ファイバ心線の下流側の部分と光カプラとをコネクタを介して接続することにより、融着接続に比べて作業性を向上することができる。
（４）光信号配信局と切り離され放置状態となっている光ファイバ心線の下流側の部分と光カプラを介して接続される返し用光ファイバ心線の信頼性を他の光ファイバ心線の信頼性よりも向上させることにより、光ファイバネットワーク全体の信頼性の向上を図ることができる。
【発明を実施するための最良の形態】
【００１３】
光信号配信局と切り離され放置状態となっている光ファイバ心線の下流側の部分を再利用するという目的を、光信号配信局と切り離され放置状態となっている光ファイバ心線の下流側の部分を光信号配信局と光カプラを介して再接続することにより実現した。
【実施例１】
【００１４】
以下、本発明の光ファイバ心線割当方法の実施例について図面を参照して説明する。
本発明の第１の実施例による光ファイバ心線割当方法は、光ケーブルの末端近くで各加入者（各家庭）に引き込まれた結果として放置状態とされた比較的短い（たとえば１ｋｍ未満）光ファイバ心線部分の再利用を図るときに使用されるものである。
【００１５】
本実施例による光ファイバ心線割当方法では、図１に示すように、同じ地区に住む第１乃至第４の加入者Ａ〜Ｄに光ファイバ心線を引き込む場合には、図４に示した従来の光ファイバ心線割当方法と同様に、光信号配信局から敷設された光ケーブル内の第１乃至第７の光ファイバ心線１１〜１７のうちの第１乃至第４の光ファイバ心線１１〜１４を切断して、切断した第１乃至第４の光ファイバ心線１１〜１４の光信号配信局側の部分と第１乃至第４の加入者Ａ〜Ｄ用の第１乃至第４の引込み用光ファイバ心線２１〜２４とをそれぞれ接続する。
【００１６】
このとき、第１乃至第４の光ファイバ心線１１〜１４の切断点から光ケーブル末端側の部分１１1〜１４1（以下、「第１乃至第４の放置光ファイバ心線１１1〜１４1」と称する。）は光信号配信局から切り離されたまま放置されることとなるが、その後に第１乃至第４の加入者Ａ〜Ｄと同じ地区に住む第５乃至第８の加入者Ｅ〜Ｈが光ファイバ心線の引込みを申し込んだ場合には、放置されたままとなっていた第１乃至第４の放置光ファイバ心線１１1〜１４1の光信号背信局側の端と第５乃至第８の加入者Ｅ〜Ｈ用の第５乃至第８の引込み用光ファイバ心線２５〜２８とをそれぞれ接続するとともに、第１乃至第４の放置光ファイバ心線１１1〜１４1の他端と第５の光ファイバ心線１５とを光カプラ４０を介して接続する。
すなわち、光カプラ４０を光ケーブル末端に光信号配信局向け（上流向け）に設置して、放置されたままとなっていた第１乃至第４の放置光ファイバ心線１１1〜１４1を光カプラ４０および第５の光ファイバ心線１５を介して光信号配信局と接続する。
【００１７】
その結果、本実施例による光ファイバ心線割当方法では、従来では放置されたままとなる第１乃至第４の放置光ファイバ心線１１1〜１４1の再利用を可能にすることができるため、光ファイバ心線利用可能性を２倍に向上させることができる。
また、光ケーブル内の未使用状態である第６および第７の光ファイバ心線１６，１７は、その後に新たな加入者があった場合に使用するための予備として残しておくことができる。
【実施例２】
【００１８】
次に、本発明の第２の実施例による光ファイバ心線割当方法について図２を参照して説明する。
本実施例による光ファイバ心線割当方法は、光ケーブルの末端側で各加入者（各家庭）に引き込まれた結果として放置状態とされた比較的短い（たとえば１ｋｍ未満）光ファイバ心線部分の再利用を図るときに使用されるものである。
【００１９】
本実施例による光ファイバ心線割当方法では、図２に示すように、同じ地区に住む第１乃至第４の加入者Ａ〜Ｄに光ファイバ心線を引き込む場合には、図４に示した従来の光ファイバ心線割当方法と同様に、光信号配信局から敷設された光ケーブル内の第１乃至第７の光ファイバ心線１１〜１７のうちの第１乃至第４の光ファイバ心線１１〜１４を切断して、切断した第１乃至第４の光ファイバ心線１１〜１４の光信号配信局側の部分と第１乃至第４の加入者Ａ〜Ｄ用の第１乃至第４の引込み用光ファイバ心線２１〜２４とをそれぞれ接続する。
【００２０】
このとき、第１乃至第４の光ファイバ心線１１〜１４の切断点から光ケーブル末端側の部分１１1〜１４1，１１2〜１４2は光信号配信局から切り離されたまま放置されることとなるが、その後に第１乃至第４の加入者Ａ〜Ｄから少し離れた地区に住む第５乃至第８の加入者Ｅ〜Ｈが光ファイバ心線の引込みを申し込んだ場合には、放置されたままとなっていた第１乃至第４の光ファイバ心線１１〜１４の切断点から光ケーブル末端側の部分１１1〜１４1，１１2〜１４2を切断して、切断した第１乃至第４の光ファイバ心線１１〜１４の光ケーブル末端側の部分１１2〜１４2（以下、「第１乃至第４の放置光ファイバ心線１１2〜１４2」と称する。）の光信号配信局側の端と第５乃至第８の加入者Ｅ〜Ｈ用の第５乃至第８の引込み用光ファイバ心線２５〜２８とをそれぞれ接続するとともに、第１乃至第４の放置光ファイバ心線１１2〜１４2の他端と第５の光ファイバ心線１５とを光カプラ５０を介して接続する。
すなわち、光カプラ５０を光ケーブル末端に光信号配信局向け（上流向け）に設置して、放置されたままとなっていた第１乃至第４の放置光ファイバ心線１１2〜１４2を光カプラ５０および第５の光ファイバ心線１５を介して光信号配信局と接続する。
【００２１】
その結果、本実施例による光ファイバ心線割当方法では、第１乃至第４の光ファイバ心線１１〜１４の切断点から光ケーブル末端側の部分１１1〜１４1は従来と同様に放置されたままとなるが、第１乃至第４の放置光ファイバ心線１１2〜１４2の再利用を可能にすることができるため、光ファイバ心線利用可能性を２倍に向上させることができる。
また、光ケーブル内の未使用状態である第６および第７の光ファイバ心線１６，１７は、その後に新たな加入者があった場合に使用するための予備として残しておくことができる。
【実施例３】
【００２２】
次に、本発明の第３の実施例による光ファイバ心線割当方法について図３を参照して説明する。
本実施例による光ファイバ心線割当方法は、光ケーブルの末端側で各加入者（各家庭）に引き込まれた結果として放置状態とされた比較的長い（たとえば１ｋｍ以上）光ファイバ心線部分の再利用を図るときに使用されるものである。
【００２３】
本実施例による光ファイバ心線割当方法では、図３に示すように、同じ地区に住む第１乃至第４の加入者Ａ〜Ｄに光ファイバ心線を引き込む場合には、図４に示した従来の光ファイバ心線割当方法と同様に、光信号配信局から敷設された光ケーブル内の第１乃至第７の光ファイバ心線１１〜１７のうちの第１乃至第４の光ファイバ心線１１〜１４を切断して、切断した第１乃至第４の光ファイバ心線１１〜１４の光信号配信局側の部分と第１乃至第４の加入者Ａ〜Ｄ用の第１乃至第４の引込み用光ファイバ心線２１〜２４とをそれぞれ接続する。
【００２４】
このとき、第１乃至第４の光ファイバ心線１１〜１４の切断点から光ケーブル末端側の部分１１1〜１４1，１１2〜１４2，１１3〜１４3は光信号配信局から切り離されたまま放置されることとなるが、その後に第１乃至第４の加入者Ａ〜Ｄと同じ地区に住む第５乃至第８の加入者Ｅ〜Ｈと第１乃至第４の加入者Ａ〜Ｄから離れた地区に住む第９乃至第１２の加入者Ｉ〜Ｌと第１乃至第９の加入者Ａ〜Ｌから離れた地区に住む第１３乃至第１６の加入者Ｍ〜Ｐとが光ファイバ心線の引込みを申し込んだ場合には、放置されたままとなっていた第１乃至第４の光ファイバ心線１１〜１４の切断点から光ケーブル末端側の部分１１1〜１４1，１１2〜１４2，１１3〜１４3を３本ずつに切断する。
【００２５】
切断した第１乃至第４の光ファイバ心線１１〜１４の光ケーブル末端側の部分１１1〜１４1，１１2〜１４2，１１3〜１４3のうちの光信号配信局側の部分１１1〜１４1（以下、「第１乃至第４の放置光ファイバ心線１１1〜１４1」と称する。）の光信号配信局側の端と第５乃至第８の加入者Ｅ〜Ｈ用の第５乃至第８の引込み用光ファイバ心線２５〜２８とをそれぞれ接続するとともに、第１乃至第４の放置光ファイバ心線１１1〜１４1の他端と第５の光ファイバ心線１５とを第１の光カプラ６１を介して接続する。すなわち、第１の光カプラ６１を光信号配信局向け（上流向け）に設置して、放置されたままとなっていた第１乃至第４の放置光ファイバ心線１１1〜１４1を第１の光カプラ６１および第５の光ファイバ心線１５を介して光信号配信局と接続する。
【００２６】
また、切断した第１乃至第４の光ファイバ心線１１〜１４の光ケーブル末端側の部分１１1〜１４1，１１2〜１４2，１１3〜１４3のうちの中間の部分１１2〜１４2（以下、「第５乃至第８の放置光ファイバ心線１１2〜１４2」と称する。）の光ケーブル末端側の端と第９乃至第１２の加入者Ｉ〜Ｌ用の第９乃至第１２の引込み用光ファイバ心線２９〜３２とをそれぞれ接続するとともに、第５乃至第８の放置光ファイバ心線１１2〜１４2の他端と第６の光ファイバ心線１６とを第２の光カプラ６２を介して接続する。すなわち、第２の光カプラ６２を光ケーブル末端向け（下流向け）に設置して、放置されたままとなっていた第５乃至第８の放置光ファイバ心線１１2〜１４2を第２の光カプラ６２および第６の光ファイバ心線１６を介して光信号配信局と接続する。
【００２７】
さらに、切断した第１乃至第４の光ファイバ心線１１〜１４の光ケーブル末端側の部分１１1〜１４1，１１2〜１４2，１１3〜１４3のうちの光ケーブル末端側の部分１１3〜１４3（以下、「第９乃至第１２の放置光ファイバ心線１１3〜１４3」と称する。）の光信号配信局側の端と第１３乃至第１６の加入者Ｍ〜Ｐ用の第１３乃至第１６の引込み用光ファイバ心線３３〜３６とをそれぞれ接続するとともに、第９乃至第１２の放置光ファイバ心線１１3〜１４3の他端と第７の光ファイバ心線１７とを第３の光カプラ６３を介して接続する。すなわち、第３の光カプラ６３を光信号配信局向け（上流向け）に設置して、放置されたままとなっていた第９乃至第１２の放置光ファイバ心線１１3〜１４3を第３の光カプラ６３および第７の光ファイバ心線１７を介して光信号配信局と接続する。
【００２８】
その結果、本実施例による光ファイバ心線割当方法では、従来では放置されたままとなる第１乃至第１２の放置光ファイバ心線１１1〜１４1，１１2〜１４2，１１3〜１４3の再利用を可能にすることができるため、光ファイバ心線利用可能性を４倍に向上させることができる。
【００２９】
なお、本実施例による光ファイバ心線割当方は、第５乃至第８の加入者Ｅ〜Ｈと第９乃至第１２の加入者Ｉ〜Ｌと第１３乃至第１６の加入者Ｍ〜Ｐとへ同時に光ファイバ心線を引き込む場合に限らず、それぞれ別々の時期に光ファイバ心線を引き込む場合にも使用することができる。たとえば、第５乃至第８の加入者Ｅ〜Ｈ，第９乃至第１２の加入者Ｉ〜Ｌおよび第１３乃至第１６の加入者Ｍ〜Ｐの順で別々の時期に光ファイバ心線を引き込む場合には、まず第５乃至第８の加入者Ｅ〜Ｈに対して第１の光カプラ６１を介した光信号配信局との接続を行い、その後に第９乃至第１２の加入者Ｉ〜Ｌに対して第２の光カプラ６２を介した光信号配信局との接続を行い、その後に第１３乃至第１６の加入者Ｍ〜Ｐに対して第３の光カプラ６３を介した光信号配信局との接続を行うこともできる。
【００３０】
以上の説明では光カプラ４０，５０，６１〜６３は１：４の双方向性の光カプラとしたが、新たな加入者の数に応じて１：２，１：８，１：１６，１：３２などの双方向性の光カプラとしてもよい。
【００３１】
また、第１乃至第１２の放置光ファイバ心線１１1〜１４1，１１2〜１４2，１１3〜１４3を第１乃至第３の光カプラ６１〜６３に接続する方法としては、光ファイバの融着技術を用いてもよいが、本発明の光ファイバ心線割当方法ではこの接続作業は電柱上で行うことになりかつ融着作業は非常に熟練を要するので、作業性の向上を図るためにコネクタを用いて第１乃至第１２の放置光ファイバ心線１１1〜１４1，１１2〜１４2，１１3〜１４3を第１乃至第３の光カプラ６１〜６３に接続してもよい。
【００３２】
さらに、本発明の光ファイバ心線割当方法では光ケーブルに新たな加入者と光信号配信局とを光カプラを介して再接続するための返し用光ファイバ心線（図１および図２では第５の光ファイバ心線１５、図３では第５乃至第７の光ファイバ心線１５〜１７）を予め挿入しておく必要があるが、この返し用光ファイバ心線は複数の加入者と光信号配信局とを接続するのに用いられるため、他の光ファイバ心線（図１乃至図３の第１乃至第４の光ファイバ心線１１〜１４）よりも信頼性を向上させておく必要がある。そのため、たとえば、返し用光ファイバ心線の被覆（たとえば、ナイロン心線におけるナイロン被覆，ＵＶ心線におけるＵＶ硬化樹脂およびテープ心線におけるＵＶ被覆など）を他の光ファイバ心線の被覆よりも厚くしたり、返し用光ファイバ心線を光ケーブルの中心側に設けたりするなどの対策をしておくことが有効である。
【産業上の利用可能性】
【００３３】
以上説明したように、本発明の光ファイバ心線割当方法は、ＦＴＴＨネットワークなどにおける光ファイバネットワークにおける光ファイバ心線敷設作業に利用することができる。
【図面の簡単な説明】
【００３４】
【図１】本発明の第１の実施例による光ファイバ心線割当方法を説明するための図である。（実施例１）
【図２】本発明の第２の実施例による光ファイバ心線割当方法を説明するための図である。（実施例２）
【図３】本発明の第３の実施例による光ファイバ心線割当方法を説明するための図である。（実施例３）
【図４】従来の光ファイバ心線割当方法の課題を説明するための図である。
【符号の説明】
【００３５】
１１〜１７  光ファイバ心線
１１1〜１４1，１１2〜１４2，１１3〜１４3  放置光ファイバ心線
２１〜３６  引込み用光ファイバ心線
４０，５０，６１〜６３  光カプラ
Ａ〜Ｐ  加入者
【図１】
2005191871.tif 000003
【図２】
2005191871.tif 000004
【図３】
2005191871.tif 000005
【図４】
2005191871.tif 000006